(57)【要約】【課題】ＰＯＴＳ機器において高速データ通信サービスが動作中から否かを判断し、高速データ通信サービスが動作中である場合、ＰＯＴＳ機器の通話特性を最適値に補正制御する事を目的とする。また、高速データ通信機器の高速データ通信サービスが動作中でない場合はスプチッタをバイパスして電話回線に直接接続する事を目的とする。【解決手段】高速データ通信機器の高速データ通信サービスが動作中か否かを判断する手段と、前記ＰＯＴＳ機器の通話品質を最適値に補正制御する手段と、前記スプリッタをバイパスさせる手段で構成する。【選択図】        図１
2004159216.tif 000002
【特許請求の範囲】
【請求項１】
音声通信機器において、
音声通信で使用する帯域とは異なる周波数帯域を利用してデータ通信を行うためのスプリッタに接続され、前記データ通信が実行中か否かを判断する手段と、前記音声通信機器の通話品質を最適値に補正制御する手段とを備え、前記データ通信が実行中である場合、前記通話品質を最適値に補正制御する事を特徴とする音声通信機器。
【請求項２】
請求項１において、前記スプリッタをバイパスさせる手段を備え、前記データ通信が実行中でない場合、前記スプリッタをバイパスする事を特徴とする音声通信機器。
【請求項３】
請求項１または２において、前記スプリッタをバイパスして音声通信している際に、データ通信が開始される場合は、通話中の回線を切断することなくスプリッタに接続し、前記補正制御を開始することを特徴とする音声通信装置。
【発明の詳細な説明】
【０００１】
【発明の属する技術分野】
この発明は、スプリッタに接続されたＰＯＴＳ機器等の音声通信機器がスプリッタを介して既存の電話サービスを行う時、通話品質を最適値に制御方式に関する。また、データ通信が実行中でない場合、スプリッタをバイパスする制御方式に関する。
【０００２】
【従来の技術】
既存の電話回線を利用して、今までの電話サービスはそのままで高速のデータ通信サービスを実現する新たなシステムが考えられている（ｘＤＳＬ通信システム等）。図３に従来の高速データ通信方式の構成図を示す。図３を用いて従来の高速データ通信機器が動作時に電話サービスがどの様に行われるかを説明する。
【０００３】
１０２は電話回線、３０１は本発明の従来例におけるＰＯＴＳ機器、３０２は高速データ通信機器、３０３はスプリッタ、３０４は局側の施設、３０５は局側の施設のスプリッタ、３０６は加入者交換機、３０７は高速データ通信を行なう際に高速データ信号をＡＴＭフォーマットに変換するＤＳＬＡＭ、３０８は高速データ通信の信号と他のユーザからの信号を多重化し、インターネット網３１０と通信するＡＴＭ多重化装置、３０９は電話網、３１０はインターネット網、３１１は通話相手の電話機、３１２はサーバである。
【０００４】
従来においては高速データ通信機器３０２がインターネット網３１０上のサーバ３１２に接続する手順を説明する。サーバ３１２のアドレスを入力しそのデータはスプリッタ３０３で音声帯域と合成され、電話回線３０４を介して局側の施設３０４に送られる。送られたデータはスプリッタ３０５で音声帯域と分離され、ＤＳＬＡＭ３０７でＡＴＭフォーマットに変換される。ＡＴＭフォーマットに変換された信号はＡＴＭ多重化装置３０８で他のユーザからの信号を多重化し、インターネット網３１０経由でサーバ３１２に送信される。サーバ３１２はこの信号を受信した後、データをダウンロードする。
【０００５】
一方ＰＯＴＳ機器３０１からの音声信号は、スプリッタ３０３で高速データ通信帯域と合成され、電話回線１０２、局側の施設３０４のスプリッタ３０５で高速データ通信帯域と分離され、加入者交換機３０６から電話網３０９を経由して通話の相手の電話機３１１と音声通信を行う。この時、ＰＯＴＳ機器３０１の音声信号は高速データ通信機器３０２が動作している、していないに関わらずスプリッタ３０３を経由しなければならない。
【０００６】
この様に通常、既存の電話回線に高速データ通信機器を接続する際、スプリッタを用いて音声帯域（０〜４ＫＨＺ）と高速データ通信帯域（４ＫＨＺ以上）を分離する。この為、従来からあるＰＯＴＳ機器（コードレス電話、ＦＡＸ等）は本来の目的の機能である音声通話などを行う際にスプリッタを介さなければならなくなる。
【０００７】
また、従来の発明において特開平１１−３０８３５２号公報、特開平１１−２８４７６６号公報が出願されている。しかし、前者は電話サービスが停止中に電話サービスで使用している周波数帯域を高速データ通信で使用する事を目的としている。後者は、商用電源が停電時においてスプリッタをバイパスする様にしたものである。結果、上述先願２件と本出願とは、その目的、構成、効果は全く異なるものである。
【０００８】
【発明が解決しようとする課題】
同一電話回線で高速データ通信サービスと電話サービスを行う際、音声帯域と高速データ通信帯域を分離、合成する目的でスプリッタを設置している。この為従来のＰＯＴＳ機器は音声通話を行う際にスプリッタを介さないと電話回線を用いて音声通話が出来ない。
【０００９】
従来のＰＯＴＳ機器の通話回路はスプリッタを介さないで直接電話回線が接続される事を想定して通話特性などは設計されている事がほとんどである。
【００１０】
よって、スプリッタを介しての通話を行うと通話特性が著しく悪くなり、既存の電話サービス、特に音声サービスを行うと本来の電話回線で行う通話特性が実現できない為、使用者は通話特性の劣化にストレスを感じていた。
【００１１】
そこで本発明は、このような問題を解決するためになされたもので、ＰＯＴＳ機器等の音声通信機器においてデータ通信が実行中か否かを判断し、実行中である場合、通話特性を最適値に補正制御する事を目的とする。
【００１２】
また、データ通信が実行中でない場合はスプリッタをバイパスして電話回線に直接接続する事を目的とする。
【００１３】
【課題を解決するための手段】
上記目的を達成するため、本発明は音声通信機器において、音声通信で使用する帯域とは異なる周波数帯域を利用してデータ通信を行うためのスプリッタに接続され、前記データ通信が実行中か否かを判断する手段と、前記音声通信機器の通話品質を最適値に補正制御する手段とを備え、前記データ通信が実行中である場合、前記通話品質を最適値に補正制御する事を特徴とする。
【００１４】
【発明の実施の形態】
（実施例）
本発明の実施例におけるスプリッタ制御方式を取り入れた装置（以下スプリッタ装置）において高速データ通信が動作しているか否かを検出し、動作中であればスプリッタを介して音声通話を行う際に通話特性制御を行い、停止していればスプリッタをバイパスして音声通話を行う動作を図１、図２、図４に基づき説明する。
【００１５】
図１は本発明の実施例におけるスプリッタ装置の構成図である。図２は本発明の実施例における動作フロー図である。図４は本発明の実施例におけるスプリッタ装置の接続図である。
【００１６】
図１において、１０１はスプリッタ１０３をバイパスさせる側と経由する側とを切替える切替器、１０２は電話回線、１０３はスプリッタ、１０４は切替器１０１を制御する切替制御部、１０５は高速データ通信が動作しているか否かを検出するキャリア検出部、１０６は装置全体を制御する中央演算部、１０７はスプリッタを介して通話を行う場合に通話特性を制御する通話特性制御部、１０８は通話を行うハンドセット、１０９は通話回路、１１０は電話回線１０２の直流を閉結する直流閉結部、１１１は高速データ通信を行う高速データ通信機器、１１２はスプリッタ装置全体である。図４の構成品は図１及び図３と重複するので説明は省略する。
【００１７】
Ｓ２０１で動作を開始する。まず、スプリッタ装置１１２は通話の相手の電話機３１１と音声通信手順を開始する（Ｓ２０２）。この時に高速データ通信機器１１１が動作中か否かをキャリア検出部１０５で検出し、中央演算装置１０６に伝送する。この動作は切替器１０１をスプリッタをバイパスする側（ａ点側）に倒し、高速データ通信機器１１１のキャリアを検出する事によって可能となる。高速データ通信機器１１１が通信中（動作中）の場合（Ｓ２０３のＹＥＳ）、中央演算装置１０６は切替制御部１０４により切替器１０１をスプリッタを経由する側（ｂ点側）に倒し、直流閉結部１１０は電話回線１０２の直流を閉結する（Ｓ２１５）。その後、通話相手の電話機３１１の電話番号を出力し音声通話を通話回路１０９、ハンドセット１０８を用いて通話を行う。この動作と同時に中央演算装置１０６は通話特性制御部１０７で通話回路１０９の通話特性を制御し、良好な通話品質で通話を可能にする（Ｓ２１６）。その後、通話を継続し（Ｓ２１７）、通話終了となる（Ｓ２１８）。
【００１８】
高速データ通信が通信中でない（停止中）場合（Ｓ２０３のＮＯ）、中央演算装置１０６は切替制御部１０４により切替器１０１をスプリッタをバイパスする側（ａ点側）に倒し、直流閉結部１１０は電話回線１０２の直流を閉結する（Ｓ２０５）。その後、通話相手の電話機３１１の電話番号を出力し音声通話を通話回路１０９、ハンドセット１０８を用いて通話を開始する（Ｓ２０６）。この通話が継続中において定期的に高速データ通信機器１１１が高速データ通信を開始していないかをキャリア検出部１０５で監視を継続する。この結果、高速データ通信が開始されない場合（Ｓ２０７のＮＯ）、通話を継続し（Ｓ２１２）通話終了となる（Ｓ２１３）。
【００１９】
また、高速データ通信が開始された場合（Ｓ２０７のＹＥＳ）、中央演算装置１０６は切替制御部１０４により切替器１０１をスプリッタを経由する側（ｂ点側）に倒し、中央演算装置１０６は通話特性制御部１０７で通話回路１０９の通話特性を制御し、良好な通話品質で通話を可能にする（Ｓ２０９）。その後、通話を継続し（Ｓ２１０）、通話終了となる（Ｓ２１１）。
【００２０】
この切替器１０１の切替動作は電話回線１０２が回線断と判断する期間より十分短い為、回線が切断される事はない。
【００２１】
以上説明したように、上記実施例によれば、スプリッタ装置がデータ通信実行時においても、通話特性を制御する事により良好な品質で通話を行う事ができる。
【００２２】
また、スプリッタをバイパスして通話中に高速データ通信が開始された時は通話中の回線を切断することなくスプリッタ側に切替え、通話特性を制御するので良好な品質で通話を行う事ができるという効果がある。
【００２３】
【発明の効果】
以上説明したように、本発明によれば、スプリッタ装置がデータ通信実行時においても、通話特性を制御する事により良好な品質で通話を行う事ができる。
【図面の簡単な説明】
【図１】本発明の実施例における構成図
【図２】本発明の実施例における動作フロー図
【図３】本発明の従来図
【図４】本発明の実施例における接続図
【符号の説明】
１０１…スプリッタ
１０３…バイパスさせる切替器
１０２…電話回線
１０３…スプリッタ
１０４…切替器
１０１…制御する切替制御部
１０５…キャリア検出部
１０６…中央演算部
１０７…通話特性制御部
１０８…ハンドセット
１０９…通話回路
１１０…電話回線
１０２…直流閉結部
１１１…高速データ通信機器
１１２…スプリッタ装置
３０１…ＰＯＴＳ機器
３０２…高速データ通信装置
３０３…スプリッタ
３０４…局側の施設
３０５…スプリッタ
３０６…加入者交換機
３０７…ＤＳＬＡＭ
３０８…ＡＴＭ多重化装置
３０９…電話網
３１０…インターネット網
３１１…通話相手の電話機
３１２…サーバ
【図１】
2004159216.tif 000003
【図２】
2004159216.tif 000004
【図３】
2004159216.tif 000005
【図４】
2004159216.tif 000006